(57)【要約】【課題】３路スイッチとして用いる場合の使い勝手を向上する。【解決手段】電流トランスＣＴに流れる電流の大きさに基づいて照明負荷Ｌの点灯を検知する点灯検知部７を備え、信号処理部２は、点灯検知部７にて照明負荷Ｌの点灯が検知されているときには照度センサ５で検出する周囲照度に関係なく熱線センサ１の出力に基づいて人体の存否に対応するようにトライアックＱをオン・オフさせる。故に、３路スイッチとして用いた場合、信号処理部２が点灯検知部７により照明負荷Ｌの点灯を検知しているときには照度センサ５による周囲照度の検知結果にかかわらず熱線センサ１の検知結果のみに基づいてトライアックＱのオン・オフを行うから、３路スイッチとして用いる場合の使い勝手が向上する。【選択図】        図１
2004172994.tif 000002
【特許請求の範囲】
【請求項１】
熱線を検知する熱線センサと、電源から照明負荷への給電路に挿入されるスイッチ要素と、スイッチ要素と直列に前記給電路に挿入される電流トランスと、周囲照度を検出する照度センサと、該照度センサで検出する周囲照度が所定値以下のときに前記熱線センサの出力に基づいて人体の存否に対応するように前記スイッチ要素をオン・オフさせる制御手段と、前記電流トランスのスイッチ要素に接続されていない方の一端及び前記スイッチ要素の両端に各々設けられた外部接続端子とを備え、前記制御手段は、前記スイッチ要素のオフ状態では負荷の漏れ電流から、前記スイッチ要素のオン状態では前記電流トランスの２次側出力からそれぞれ動作電源を得るとともに該２次側出力に基づいて前記スイッチ要素をオン・オフさせ、一端オンさせたスイッチ要素を所定の動作保持時間経過後にオフさせてなる熱線式自動スイッチにおいて、前記電流トランスに流れる電流の大きさに基づいて照明負荷の点灯を検知する点灯検知手段を備え、前記制御手段は、前記点灯検知手段にて照明負荷の点灯が検知されているときには照度センサで検出する周囲照度に関係なく熱線センサの出力に基づいて人体の存否に対応するように前記スイッチ要素をオン・オフさせてなることを特徴とする熱線式自動スイッチ。
【請求項２】
前記照度センサの検出値を所定周期で記憶する記憶手段を備え、前記制御手段は、前記点灯検知手段にて照明負荷の点灯が検知された時点よりも所定時間以上遡った時点で前記記憶部に記憶された検出値が予め設定されている基準値を超えている場合には照度センサで検出する周囲照度が所定値以下のときに前記熱線センサの出力に基づいて人体の存否に対応するように前記スイッチ要素をオン・オフさせてなることを特徴とする請求項１記載の熱線式自動スイッチ。
【請求項３】
前記照度センサの検出値を所定周期で記憶する記憶手段を備え、前記制御手段は、前記点灯検知手段にて照明負荷の点灯が検知された時点よりも所定時間以上遡った時点で前記記憶部に記憶された第１の検出値と、前記点灯検知後に記憶手段に記憶される第２の検出値とを比較し、第１の検出値と第２の検出値との差が所定の基準値以下の場合には照度センサで検出する周囲照度が所定値以下のときに前記熱線センサの出力に基づいて人体の存否に対応するように前記スイッチ要素をオン・オフさせてなることを特徴とする請求項１記載の熱線式自動スイッチ。
【請求項４】
前記制御手段は、前記点灯検知手段で照明負荷の点灯が検知されているときと検知されていないときとで前記周囲照度の所定値を異なる値としてなることを特徴とする請求項２又は３記載の熱線式自動スイッチ。
【発明の詳細な説明】
【０００１】
【発明の属する技術分野】
本発明は、人体等から放射される熱線を検知することによって照明負荷を自動的に点灯・消灯する熱線式自動スイッチに関するものである。
【０００２】
【従来の技術】
従来より、この種の熱線式自動スイッチとして図９に示すようなものが知られている（特許文献１参照）。
【０００３】
この従来の熱線式自動スイッチＡ’は、人体等から放射される熱線を検知する焦電素子からなる熱線センサ１と、商用電源ＡＣから照明負荷Ｌへの給電路に挿入されるスイッチ要素たるトライアックＱと、トライアックＱと直列に前記給電路に挿入される電流トランスＣＴと、熱線センサ１の出力に基づいて人体の存否に対応するようにトライアックＱをオン・オフさせる制御手段たる信号処理部２と、トライアックＱに並列接続されたダイオードブリッジＤＢと、このダイオードブリッジＤＢの脈流出力並びに電流トランスＣＴの２次側出力から安定化された直流の動作電源を得て信号処理部２などに供給する安定化電源部３と、後述する動作保持時間を調整する動作保持時間調整部４と、周囲照度を検出するＣｄＳなどからなる照度センサ５と、照度センサの検出レベルを調整するための照度センサ調整部６とを備えている。
【０００４】
また、給電路の両端、すなわち電流トランスＣＴとトライアックＱのそれぞれ相手と接続されていない方の一端に外部接続端子Ｔａ，Ｔｂが設けてあり、これら外部接続端子Ｔａ，Ｔｂ間に商用電源ＡＣと照明負荷Ｌが直列に接続され、トライアックＱがオンしているときに商用電源ＡＣから照明負荷Ｌに給電される。
【０００５】
ここで、トライアックＱのオフ状態ではトライアックＱ両端の電位差と照明負荷Ｌの漏れ電流によりダイオードブリッジＤＢから出力される脈流電圧を安定化して動作電源を得るとともに、トライアックＱのオン状態では商用電源ＡＣから照明負荷Ｌに流れる負荷電流によって電流トランスＣＴの２次側出力を安定化して動作電源を得るようにしているので、２線での配線が可能となっている。
【０００６】
次に、この従来の熱線式自動スイッチＡ’を１つだけ用いて１カ所で検知する場合の基本動作について説明する。
【０００７】
熱線センサ１により人体から放射される熱線が検知されると信号処理部２に対してハイレベルの人体検知信号が出力される。信号処理部２は、熱線センサ１から人体検知信号が出力されるとトライアックＱのトリガ端子にトリガ信号を与えてトライアックＱをオンさせて商用電源ＡＣから照明負荷Ｌに給電するとともに動作保持時間のカウントを開始し、動作保持時間が経過すればトライアックＱをオフさせて照明負荷Ｌへの給電を停止する。なお、動作保持時間のカウント中に再度熱線センサ１から人体検知信号が出力された場合、信号処理部２は動作保持時間のカウントを最初からやり直す。
【０００８】
また、信号処理部２では、周囲照度に対応する照度センサ５の検出出力が閾値を超えると、熱線センサ１から人体検知信号が出力されてもトライアックＱをオンさせずにオフに保つようになっている。したがって、周囲が明るく照明負荷Ｌの点灯が不要であるときには熱線センサ１の検知結果にかかわらず照明負荷Ｌを消灯させておくことが可能になり、無駄な電力消費を抑制できるのである。なお、上記閾値を設置場所等の種々の条件に応じて変更することができるように照度センサ調整部６が設けてある。
【０００９】
ところで、この従来の熱線式自動スイッチＡ’においては、電流トランスＣＴとトライアックＱの接続点に外部接続端子Ｔｃを設けるとともに、外部接続端子Ｔｂと並列に外部接続端子Ｔｄが設けてある。そして、図１０に示すように２つの熱線式自動スイッチＡ１’，Ａ２’の外部接続端子Ｔａを商用電源ＡＣと照明負荷Ｌにそれぞれ接続するとともに、一方の熱線式自動スイッチＡ１’の外部接続端子Ｔｂ，Ｔｃをそれぞれ他方の熱線式自動スイッチＡ２’の外部接続端子Ｔｃ，Ｔｂに接続することにより、既設の３路配線を用いて２カ所検知が可能となる。例えば、一方の熱線式自動スイッチＡ１’で熱線が検知されてトライアックＱがオンすると、商用電源ＡＣ−熱線式自動スイッチＡ１’の外部接続端子Ｔａ−熱線式自動スイッチＡ１’の電流トランスＣＴ−熱線式自動スイッチＡ１’のトライアックＱ−熱線式自動スイッチＡ１’の外部接続端子Ｔｂ−熱線式自動スイッチＡ２’の外部接続端子Ｔｃ−熱線式自動スイッチＡ２’の電流トランスＣＴ−熱線式自動スイッチＡ２’の外部接続端子Ｔａ−照明負荷Ｌの経路で閉回路が形成されて商用電源ＡＣから照明負荷Ｌへ給電される。また、他方の熱線式自動スイッチＡ２’で熱線が検知されてトライアックＱがオンすると、商用電源ＡＣ−熱線式自動スイッチＡ１’の外部接続端子Ｔａ−熱線式自動スイッチＡ１’の電流トランスＣＴ−熱線式自動スイッチＡ１’の外部接続端子Ｔｃ−熱線式自動スイッチＡ２’の外部接続端子Ｔｂ−熱線式自動スイッチＡ２’のトライアックＱ−熱線式自動スイッチＡ２’の電流トランスＣＴ−熱線式自動スイッチＡ２’の外部接続端子Ｔａ−照明負荷Ｌの経路で閉回路が形成されて商用電源ＡＣから照明負荷Ｌへ給電される。
【００１０】
このように従来の熱線式自動スイッチＡ’では、簡単な構成で多箇所検知に対応することが可能であり、特に既設の３路配線が活用できてさらに容易に多箇所検知に対応することができるという利点がある。
【００１１】
【特許文献１】
特開２０００−１２４７８４号公報（第３−４頁、第１図）
【００１２】
【発明が解決しようとする課題】
ところで、上記従来の熱線式自動スイッチＡ’では、以下のような問題があった。
【００１３】
すなわち、熱線式自動スイッチＡ１’，Ａ２’が階段や廊下などで３路配線された場合において、一方の熱線式自動スイッチＡ１’にて熱線センサ１が人体を検知したことによりトライアックＱがオンして照明負荷Ｌが点灯したとき、照明負荷Ｌの点灯後にその照明負荷Ｌの照明によって他の熱線式自動スイッチＡ２’の周囲照度が明るくなった場合、一方の熱線式自動スイッチＡ１’の検知エリアを通過した人が階段や廊下を通って他方の熱線式自動スイッチＡ２’の検知エリアに侵入したとしても、周囲照度が明るいためにその熱線式自動スイッチＡ２’の信号処理部２はトライアックＱのオフを保持するから、熱線式自動スイッチＡ２’の検知エリア内に人が存在するにもかかわらず、熱線式自動スイッチＡ１’の動作保持時間が終了すればトライアックＱがオフして照明負荷Ｌが消灯してしまうことになって使い勝手が良くなかった。
【００１４】
本発明は上記事情に鑑みて為されたものであり、その目的は、３路スイッチとして用いる場合の使い勝手を向上した熱線式自動スイッチを提供することにある。
【００１５】
【課題を解決するための手段】
請求項１の発明は、上記目的を達成するために、熱線を検知する熱線センサと、電源から照明負荷への給電路に挿入されるスイッチ要素と、スイッチ要素と直列に前記給電路に挿入される電流トランスと、周囲照度を検出する照度センサと、該照度センサで検出する周囲照度が所定値以下のときに前記熱線センサの出力に基づいて人体の存否に対応するように前記スイッチ要素をオン・オフさせる制御手段と、前記電流トランスのスイッチ要素に接続されていない方の一端及び前記スイッチ要素の両端に各々設けられた外部接続端子とを備え、前記制御手段は、前記スイッチ要素のオフ状態では負荷の漏れ電流から、前記スイッチ要素のオン状態では前記電流トランスの２次側出力からそれぞれ動作電源を得るとともに該２次側出力に基づいて前記スイッチ要素をオン・オフさせ、一端オンさせたスイッチ要素を所定の動作保持時間経過後にオフさせてなる熱線式自動スイッチにおいて、前記電流トランスに流れる電流の大きさに基づいて照明負荷の点灯を検知する点灯検知手段を備え、前記制御手段は、前記点灯検知手段にて照明負荷の点灯が検知されているときには照度センサで検出する周囲照度に関係なく熱線センサの出力に基づいて人体の存否に対応するように前記スイッチ要素をオン・オフさせてなることを特徴とする。
【００１６】
請求項２の発明は、請求項１の発明において、前記照度センサの検出値を所定周期で記憶する記憶手段を備え、前記制御手段は、前記点灯検知手段にて照明負荷の点灯が検知された時点よりも所定時間以上遡った時点で前記記憶部に記憶された検出値が予め設定されている基準値を超えている場合には照度センサで検出する周囲照度が所定値以下のときに前記熱線センサの出力に基づいて人体の存否に対応するように前記スイッチ要素をオン・オフさせてなることを特徴とする。
【００１７】
請求項３の発明は、請求項１の発明において、前記照度センサの検出値を所定周期で記憶する記憶手段を備え、前記制御手段は、前記点灯検知手段にて照明負荷の点灯が検知された時点よりも所定時間以上遡った時点で前記記憶部に記憶された第１の検出値と、前記点灯検知後に記憶手段に記憶される第２の検出値とを比較し、第１の検出値と第２の検出値との差が所定の基準値以下の場合には照度センサで検出する周囲照度が所定値以下のときに前記熱線センサの出力に基づいて人体の存否に対応するように前記スイッチ要素をオン・オフさせてなることを特徴とする。
【００１８】
請求項４の発明は、請求項２又は３の発明において、前記制御手段は、前記点灯検知手段で照明負荷の点灯が検知されているときと検知されていないときとで前記周囲照度の所定値を異なる値としてなることを特徴とする。
【００１９】
【発明の実施の形態】
（実施形態１）
図１に本実施形態の熱線式自動スイッチＡの回路ブロック図、図２に２つの熱線式自動スイッチＡ１，Ａ２を３路スイッチとして用いて多箇所検知する場合の配線図、をそれぞれ示す。但し、本実施形態の熱線式自動スイッチＡは基本的に従来例の熱線式自動スイッチＡ’と共通の構成を有しており、共通する構成要素には同一の符号を付して説明を省略する。
【００２０】
本実施形態の熱線式自動スイッチＡが従来例の熱線式自動スイッチＡ’と異なる点は、電流トランスＣＴに流れる電流の大きさに基づいて照明負荷Ｌの点灯を検知する点灯検知部７を備えるとともに、制御手段たる信号処理部２が、点灯検知部７にて照明負荷Ｌの点灯が検知されているときには照度センサ５で検出する周囲照度に関係なく熱線センサ１の出力に基づいて人体の存否に対応するようにトライアックＱをオン・オフさせる点にある。なお、点灯検知部７は、トライアックＱのオフ状態（照明負荷Ｌの消灯状態）で電流トランスＣＴに流れる漏れ電流の大きさと、トライアックＱのオン状態（照明負荷Ｌの点灯状態）で電流トランスＣＴに流れる負荷電流の大きさとの違いから照明負荷Ｌの点灯を検知しており、照明負荷Ｌの点灯を検知したときにＨレベルとなる点灯検知信号を信号処理部２に出力する。
【００２１】
次に、図３に示すように階下と階上にそれぞれ熱線式自動スイッチＡ１，Ａ２を設置し、これらの熱線式自動スイッチＡ１，Ａ２と照明負荷Ｌ及び商用電源（図示せず）が３路配線されている場合を例にとって本実施形態の熱線式自動スイッチＡの動作を説明する。ここで、図３に一点鎖線で示した領域は階下の熱線式自動スイッチＡ１における熱線センサ１の検知領域Ｍ１であり、同じく点線で示した領域は階上の熱線式自動スイッチＡ２における熱線センサ１の検知領域Ｍ２である。また、図４は階下の廊下から階段を上って人が移動する場合のタイムチャートを示している。図４（ａ）〜（ｅ）は階下の熱線式自動スイッチＡ１に関するものであり、同じく図４（ｆ）〜（ｋ）は階上の熱線式自動スイッチＡ２に関するものであって、（ａ）及び（ｆ）は熱線センサ１の出力（人を検知した場合にＨレベルとなる人体検知信号）、（ｂ）及び（ｈ）は照度センサ５の出力（レベルが大きいほど暗いことを表す）、（ｃ）及び（ｉ）は信号処理部２において照度センサ５の出力を閾値Ｖｔｈと比較して明暗を判定した判定結果、（ｄ）及び（ｊ）は動作保持時間、（ｅ）及び（ｋ）はトライアックＱの動作状態をそれぞれ示し、（ｇ）は階上の熱線式自動スイッチＡ２における点灯検知部７から出力される点灯検知信号、（ｌ）は照明負荷Ｌの点灯・消灯を示している。
【００２２】
まず、図３（ａ）に示すように照明負荷Ｌが消灯しているときには階下及び階上ともに十分に暗く、照度センサ５の出力が閾値Ｖｔｈを超えているものとし、時刻ｔ＝ｔ１に人Ｈが階下の熱線式自動スイッチＡ１の検知領域Ｍ１に進入すると熱線センサ１から人体検知信号が出力される。熱線式自動スイッチＡ１の信号処理部２は人体検知信号を受け取るとトライアックＱをターンオンして照明負荷Ｌを点灯させると同時に動作保持時間のカウントを開始する。そして、照明負荷Ｌが点灯することで周囲照度が上昇し、階下及び階上の各熱線式自動スイッチＡ１，Ａ２の照度センサ５の出力が何れも閾値Ｖｔｈを下回ることになる。また、照明負荷Ｌが点灯することで電流トランスＣＴに流れる電流が増大し、点灯検出部７から信号処理部２に点灯検知信号が出力される。
【００２３】
人Ｈが階段を上って検知領域Ｍ１から出ると（時刻ｔ＝ｔ２）、熱線式自動スイッチＡ１の熱線センサ１から人体検知信号が出力されなくなるが、動作保持時間のカウント中であるから信号処理部２はトライアックＱをオンのままとして照明負荷Ｌの点灯状態を維持する。そして、人Ｈが階上の熱線式自動スイッチＡ２の検知領域Ｍ２に進入すると（時刻ｔ＝ｔ３）、熱線センサ１から人体検知信号が出力される。このとき熱線式自動スイッチＡ２の信号処理部２は、照明負荷Ｌが点灯して照度センサ５の出力が閾値Ｖｔｈを下回ってはいるが、点灯検知部７から点灯検知信号が出力されているので人体検知信号を無視せずにトライアックＱにトリガ信号を出力してオン状態を保持するとともに動作保持時間のカウントを開始する。したがって、時刻ｔ＝ｔ４で階下の熱線式自動スイッチＡ１における動作保持時間が経過しても照明負荷Ｌの点灯状態が保持されることになる。そして、人Ｈが階上の廊下を移動して検知領域Ｍ２から出ると（時刻ｔ＝ｔ５）、熱線式自動スイッチＡ２の熱線センサ１から人体検知信号が出力されなくなるが、動作保持時間のカウント中であるから信号処理部２はトライアックＱをオンのままとして照明負荷Ｌの点灯状態を維持し、階上の熱線式自動スイッチＡ２における動作保持時間が経過した時点（時刻ｔ＝ｔ６）で信号処理部２がトライアックＱをオフして照明負荷Ｌを消灯する。
【００２４】
一方、照明負荷Ｌが消灯しており、且つ十分な照度が得られていて階下及び階上ともに十分に明るく、照度センサ５の出力が閾値Ｖｔｈを超えている場合、例えば階上の熱線式自動スイッチＡ２の検知領域Ｍ２に人Ｈが進入して熱線センサ１から人体検知信号が出力されても（時刻ｔ＝ｔ７）、信号処理部２では照度センサ５の出力が閾値Ｖｔｈを超えていることから前記人体検知信号を無視してトライアックＱをオンせず、よって照明負荷Ｌが点灯することはない。
【００２５】
このように本実施形態の熱線式自動スイッチＡでは、３路スイッチとして用いた場合、信号処理部２が点灯検知部７により照明負荷Ｌの点灯を検知しているときには照度センサ５による周囲照度の検知結果にかかわらず熱線センサ１の検知結果のみに基づいてトライアックＱのオン・オフを行うから、例えば、階段や廊下を人が一方向に移動する際に、従来例のように人が階段や廊下を移動し終わる前に一旦点灯した照明負荷Ｌが消灯することがなく、人が移動し終わるまでの間は照明負荷Ｌの点灯を維持させることができ、その結果、３路スイッチとして用いる場合の使い勝手が向上するものである。
【００２６】
（実施形態２）
本実施形態の熱線式自動スイッチＡは、図５に示すように照度センサ５の出力を所定周期で記憶する記憶部８を備え、信号処理部２が記憶部８に記憶している照度センサ５の出力から照明負荷Ｌが点灯する前の周囲照度を判断し、点灯前の周囲照度に応じて照度センサ５の出力を無視するか否かを決定する点に特徴があり、これ以外の構成については実施形態１と共通であるから説明を省略する。
【００２７】
記憶部８は、照度センサ５のアナログ出力をデジタルの検出値に変換するＡ／Ｄ変換回路やＥＥＰＲＯＭのように電気的に書き換え可能なメモリ等を具備し、所定周期でサンプリングされたデジタルの検出値を記憶している。
【００２８】
信号処理部２は、点灯検知部７にて照明負荷Ｌの点灯が検知された場合、その検知時点よりも所定時間以上遡った時点で記憶部８に記憶された検出値を一時記憶部２ａに格納し、当該検出値が予め設定されている基準値Ｖｔｈ１を超えていないとき、すなわち、基準値Ｖｔｈ１に対応する照度よりも高い（明るい）ときには照度センサ５で検出する周囲照度が閾値Ｖｔｈ以下のときに熱線センサ１の出力に基づいて人体の存否に対応するようにトライアックＱをオン・オフさせ、反対に当該検出値が予め設定されている基準値Ｖｔｈ１を超えているとき、すなわち、基準値Ｖｔｈ１に対応する照度よりも低い（暗い）ときには照度センサ５で検出する周囲照度に関係なく熱線センサ１の出力のみに基づいて人体の存否に対応するようにトライアックＱをオン・オフさせる。
【００２９】
次に、図６に示すように階下と階上にそれぞれ熱線式自動スイッチＡ１，Ａ２を設置し、これらの熱線式自動スイッチＡ１，Ａ２と照明負荷Ｌ及び商用電源（図示せず）が３路配線されている場合を例にとって本実施形態の熱線式自動スイッチＡの動作を説明する。ここで、図６に一点鎖線で示した領域は階下の熱線式自動スイッチＡ１における熱線センサ１の検知領域Ｍ１であり、同じく点線で示した領域は階上の熱線式自動スイッチＡ２における熱線センサ１の検知領域Ｍ２である。また、図７は階下の廊下から階段を上って人が移動する場合のタイムチャートを示している。図７（ａ）〜（ｄ）は階下の熱線式自動スイッチＡ１に関するものであり、同じく図７（ｅ）〜（ｋ）は階上の熱線式自動スイッチＡ２に関するものであって、（ａ）及び（ｅ）は熱線センサ１から出力する人体検知信号、（ｂ）及び（ｇ）は照度センサ５の出力（レベルが大きいほど暗いことを表す）、（ｃ）及び（ｊ）は動作保持時間、（ｄ）及び（ｋ）はトライアックＱの動作状態をそれぞれ示し、（ｆ）は階上の熱線式自動スイッチＡ２における点灯検知部７から出力される点灯検知信号、（ｈ）は階上の熱線式自動スイッチＡ２の記憶部８に記憶される周囲照度の状態（明又は暗）、（ｉ）は階上の熱線式自動スイッチＡ２の一時記憶部２ａに記憶された周囲照度の状態、（ｌ）は照明負荷Ｌの点灯・消灯を示している。
【００３０】
まず、図６（ａ）に示すように照明負荷Ｌが消灯しているときには階下は十分に暗く、照度センサ５の出力が閾値Ｖｔｈを超えており、且つ階上は外光等の影響で十分に明るく、照度センサ５の出力が閾値Ｖｔｈを下回っているものとする。このとき、時刻ｔ＝ｔ１に人Ｈが階下の熱線式自動スイッチＡ１の検知領域Ｍ１に進入すると熱線センサ１から人体検知信号が出力される。熱線式自動スイッチＡ１の信号処理部２は人体検知信号を受け取るとトライアックＱをターンオンして照明負荷Ｌを点灯させると同時に動作保持時間のカウントを開始する。そして、照明負荷Ｌが点灯することで周囲照度が上昇し、階下の熱線式自動スイッチＡ１の照度センサ５の出力が閾値Ｖｔｈを下回ることになる。また、照明負荷Ｌが点灯することで電流トランスＣＴに流れる電流が増大し、点灯検出部７から信号処理部２に点灯検知信号が出力される。
【００３１】
ここで、階上の熱線式自動スイッチＡ２においては、信号処理部２が点灯検知部７にて照明負荷Ｌの点灯が検知された時点（時刻ｔ＝ｔ１）よりも所定時間以上遡った時点（ｔ＝ｔ０）で記憶部８に記憶された検出値を一時記憶部２ａに格納し、当該検出値を基準値Ｖｔｈ１と比較する。そして、検出値が基準値Ｖｔｈ１を超えていない、すなわち、基準値Ｖｔｈ１に対応する照度よりも高い（明るい）ため、信号処理部２は照度センサ５の出力を無視せずに照度センサ５の出力が閾値Ｖｔｈを超えているときにだけ熱線センサ１の出力に基づいて人体の存否に対応するようにトライアックＱをオン・オフさせる。
【００３２】
人Ｈが階段を上って検知領域Ｍ１から出ても動作保持時間のカウント中であるから信号処理部２はトライアックＱをオンのままとして照明負荷Ｌの点灯状態を維持する。そして、人Ｈが階上の熱線式自動スイッチＡ２の検知領域Ｍ２に進入すると（時刻ｔ＝ｔ２）、熱線センサ１から人体検知信号が出力される。しかしながら、熱線式自動スイッチＡ２の信号処理部２は上述のように照度センサ５の出力を無視しないから、トライアックＱにトリガ信号を出力せず、動作保持時間のカウントも開始しない。したがって、階下の熱線式自動スイッチＡ１における動作保持時間が経過した時点（時刻ｔ＝ｔ３）で階下の熱線式自動スイッチＡ１の信号処理部２がトライアックＱをオフして照明負荷Ｌを消灯する。
【００３３】
一方、外光等による影響がなくなって階上の周囲照度も十分に低く（暗く）なったとする（時刻ｔ＝ｔ４）。このとき、時刻ｔ＝ｔ６に人Ｈが階下の熱線式自動スイッチＡ１の検知領域Ｍ１に進入すると熱線センサ１から人体検知信号が出力され、熱線式自動スイッチＡ１の信号処理部２が人体検知信号を受け取ってトライアックＱをターンオンし照明負荷Ｌを点灯させると同時に動作保持時間のカウントを開始する。そして、照明負荷Ｌが点灯することで周囲照度が上昇し、階下の熱線式自動スイッチＡ１の照度センサ５の出力が閾値Ｖｔｈを下回り、また、照明負荷Ｌが点灯することで電流トランスＣＴに流れる電流が増大し、点灯検出部７から信号処理部２に点灯検知信号が出力される。
【００３４】
ここで、階上の熱線式自動スイッチＡ２においては、信号処理部２が点灯検知部７にて照明負荷Ｌの点灯が検知された時点（時刻ｔ＝ｔ６）よりも所定時間以上遡った時点（時刻ｔ＝ｔ５）で記憶部８に記憶された検出値を一時記憶部２ａに格納し、当該検出値を基準値Ｖｔｈ１と比較する。そして、検出値が基準値Ｖｔｈ１を超えている、すなわち、基準値Ｖｔｈ１に対応する照度よりも低い（暗い）ため、信号処理部２は照度センサ５の出力を無視して熱線センサ１の出力のみに基づいて人体の存否に対応するようにトライアックＱをオン・オフさせる。
【００３５】
人Ｈが階段を上って検知領域Ｍ１から出ても動作保持時間のカウント中であるから信号処理部２はトライアックＱをオンのままとして照明負荷Ｌの点灯状態を維持する。そして、人Ｈが階上の熱線式自動スイッチＡ２の検知領域Ｍ２に進入すると（時刻ｔ＝ｔ７）、熱線センサ１から人体検知信号が出力され、熱線式自動スイッチＡ２の信号処理部２は上述のように照度センサ５の出力を無視しトライアックＱにトリガ信号を出力してオン状態を保持するとともに動作保持時間のカウントを開始する。したがって、時刻ｔ＝ｔ８で階下の熱線式自動スイッチＡ１における動作保持時間が経過しても照明負荷Ｌの点灯状態が保持されることになる。そして、人Ｈが階上の廊下を移動して検知領域Ｍ２から出た後も動作保持時間のカウント中は階上の熱線式自動スイッチＡ２の信号処理部２がトライアックＱをオンのままとして照明負荷Ｌの点灯状態を維持し、階上の熱線式自動スイッチＡ２における動作保持時間が経過した時点（時刻ｔ＝ｔ９）で信号処理部２がトライアックＱをオフして照明負荷Ｌを消灯する。
【００３６】
このように本実施形態の熱線式自動スイッチＡでは、信号処理部２が点灯検知部７により照明負荷Ｌの点灯を検知した場合、その検知時点から所定時間だけ遡った時点の照度センサ５による周囲照度の検知結果に応じて、照度センサ５の出力を無視して熱線センサ１の検知結果のみに基づいてトライアックＱのオン・オフを行うか、あるいは照度センサ５の出力を無視せずに熱線センサ１の検知結果に基づいてトライアックＱのオン・オフを行うかを選択しているから、例えば、上述のように階段や廊下を人が移動する際に、照明負荷Ｌの消灯状態でも移動先（階上）の周囲照度が十分に明るければ人Ｈが階段や廊下を移動し終わる前に照明負荷Ｌを消灯しても支障はなく、無駄な照明を省いて電力消費が抑制できるものである。なお、信号処理部２にて人体検知信号を無視するか否かの判断基準となる周囲照度の閾値Ｖｔｈと、照度センサ５の出力を無視するか否かの判断基準となる周囲照度の基準値Ｖｔｈ１とは同一の値に設定しても良いが、閾値Ｖｔｈと異なる値であっても基準値Ｖｔｈ１を状況に応じた適切な値に設定するようにすれば使い勝手が一層向上する。
【００３７】
（実施形態３）
本実施形態における熱線式自動スイッチＡの構成は実施形態２と同一であるから図示を省略する。本実施形態の熱線式自動スイッチＡは、信号処理部２が点灯検知部７にて照明負荷Ｌの点灯が検知された時点よりも所定時間以上遡った時点で記憶部８に記憶された第１の検出値と、点灯検知後に記憶部８に記憶される第２の検出値とを比較し、第２の検出値に対応する周囲照度が第１の検出値に対応する周囲照度より明るくない場合には照度センサ５で検出する周囲照度が所定値以下のときに熱線センサ１の人体検知信号に基づいて人体の存否に対応するようにトライアックＱをオン・オフさせ、第２の検出値に対応する周囲照度が第１の検出値に対応する周囲照度より明るい場合には照度センサ５の出力に無関係に熱線センサ１の人体検知信号のみに基づいて人体の存比に対応するようにトライアックＱをオン・オフする点に特徴がある。
【００３８】
次に、実施形態１及び実施形態２と同様に階下と階上にそれぞれ熱線式自動スイッチＡ１，Ａ２を設置し、これらの熱線式自動スイッチＡ１，Ａ２と照明負荷Ｌ及び商用電源（図示せず）が３路配線されている場合を例にとって本実施形態の熱線式自動スイッチＡの動作を説明する。ここで、図８は階下の廊下から階段を上って人が移動する場合のタイムチャートを示している。図８（ａ）〜（ｄ）は階下の熱線式自動スイッチＡ１に関するものであり、同じく図７（ｅ）〜（ｌ）は階上の熱線式自動スイッチＡ２に関するものであって、（ａ）及び（ｅ）は熱線センサ１から出力する人体検知信号、（ｂ）及び（ｇ）は照度センサ５の出力（レベルが大きいほど暗いことを表す）、（ｃ）及び（ｋ）は動作保持時間、（ｄ）及び（ｌ）はトライアックＱの動作状態をそれぞれ示し、（ｆ）は階上の熱線式自動スイッチＡ２における点灯検知部７から出力される点灯検知信号、（ｈ）は階上の熱線式自動スイッチＡ２の記憶部８に記憶される周囲照度、（ｉ）は階上の熱線式自動スイッチＡ２の一時記憶部２ａに記憶された周囲照度、（ｊ）は照明負荷Ｌの点灯前後で周囲照度に変化が生じたか否かの判断結果、（ｍ）は照明負荷Ｌの点灯・消灯を示している。
【００３９】
まず、実施形態２と同様に照明負荷Ｌが消灯しているときには階下は十分に暗く、照度センサ５の出力が閾値Ｖｔｈを超えており、且つ階上は外光等の影響で十分に明るく、照度センサ５の出力が閾値Ｖｔｈを下回っているものとする。このとき、時刻ｔ＝ｔ１に人Ｈが階下の熱線式自動スイッチＡ１の検知領域Ｍ１に進入すると熱線センサ１から人体検知信号が出力される。熱線式自動スイッチＡ１の信号処理部２は人体検知信号を受け取るとトライアックＱをターンオンして照明負荷Ｌを点灯させると同時に動作保持時間のカウントを開始する。そして、照明負荷Ｌが点灯することで周囲照度が上昇し、階下の熱線式自動スイッチＡ１の照度センサ５の出力が閾値Ｖｔｈを下回ることになる。また、照明負荷Ｌが点灯することで電流トランスＣＴに流れる電流が増大し、点灯検出部７から信号処理部２に点灯検知信号が出力される。ここで、階上の熱線式自動スイッチＡ２においては、信号処理部２が点灯検知部７にて照明負荷Ｌの点灯が検知された時点（時刻ｔ＝ｔ１）よりも所定時間以上遡った時点（ｔ＝ｔ０）で記憶部８に記憶された検出値（以下、「第１の検出値」と呼ぶ）を一時記憶部２ａに格納する。
【００４０】
人Ｈが階段を上って検知領域Ｍ１から出ても動作保持時間のカウント中であるから信号処理部２はトライアックＱをオンのままとして照明負荷Ｌの点灯状態を維持する。そして、人Ｈが階上の熱線式自動スイッチＡ２の検知領域Ｍ２に進入すると（時刻ｔ＝ｔ２）、熱線センサ１から人体検知信号が出力される。熱線式自動スイッチＡ２の信号処理部２は、人体検知信号を取り込んだ時点（時刻ｔ＝ｔ２）で記憶部８に記憶された検出値（以下、「第２の検出値」と呼ぶ）を一時記憶部２ａに格納するとともに第１の検出値と第２の検出値を比較するが、今の場合には第１の検出値と第２の検出値の差が所定の基準値以下であるから、照度センサ５の出力を無視せず、トライアックＱにトリガ信号を出力しないで動作保持時間のカウントも開始しない。したがって、階下の熱線式自動スイッチＡ１における動作保持時間が経過した時点（時刻ｔ＝ｔ３）で階下の熱線式自動スイッチＡ１の信号処理部２がトライアックＱをオフして照明負荷Ｌを消灯する。
【００４１】
一方、外光等による影響がなくなって階上の周囲照度も十分に低く（暗く）なったとする。このとき、時刻ｔ＝ｔ５に人Ｈが階下の熱線式自動スイッチＡ１の検知領域Ｍ１に進入すると熱線センサ１から人体検知信号が出力され、熱線式自動スイッチＡ１の信号処理部２が人体検知信号を受け取ってトライアックＱをターンオンし照明負荷Ｌを点灯させると同時に動作保持時間のカウントを開始する。そして、照明負荷Ｌが点灯することで周囲照度が上昇し、階下の熱線式自動スイッチＡ１の照度センサ５の出力が閾値Ｖｔｈを下回り、また、照明負荷Ｌが点灯することで電流トランスＣＴに流れる電流が増大し、点灯検出部７から信号処理部２に点灯検知信号が出力される。
【００４２】
ここで、階上の熱線式自動スイッチＡ２においては、信号処理部２が点灯検知部７にて照明負荷Ｌの点灯が検知された時点（時刻ｔ＝ｔ５）よりも所定時間以上遡った時点（時刻ｔ＝ｔ４）で記憶部８に記憶された第１の検出値を一時記憶部２ａに格納する。そして、人Ｈが階上の熱線式自動スイッチＡ２の検知領域Ｍ２に進入すると（時刻ｔ＝ｔ６）、熱線センサ１から人体検知信号が出力され、熱線式自動スイッチＡ２の信号処理部２は、人体検知信号を取り込んだ時点（時刻ｔ＝ｔ６）で記憶部８に記憶された第２の検出値を一時記憶部２ａに格納するとともに第１の検出値と第２の検出値を比較し、今の場合には第１の検出値と第２の検出値の差が基準値を超えているから、照度センサ５の出力を無視しトライアックＱにトリガ信号を出力してオン状態を保持するとともに動作保持時間のカウントを開始する。したがって、時刻ｔ＝ｔ７で階下の熱線式自動スイッチＡ１における動作保持時間が経過しても照明負荷Ｌの点灯状態が保持されることになる。そして、人Ｈが階上の廊下を移動して検知領域Ｍ２から出た後も動作保持時間のカウント中は階上の熱線式自動スイッチＡ２の信号処理部２がトライアックＱをオンのままとして照明負荷Ｌの点灯状態を維持し、階上の熱線式自動スイッチＡ２における動作保持時間が経過した時点（時刻ｔ＝ｔ８）で信号処理部２がトライアックＱをオフして照明負荷Ｌを消灯する。
【００４３】
このように本実施形態の熱線式自動スイッチＡでは、信号処理部２が点灯検知部７により照明負荷Ｌの点灯を検知した場合、その検知時点から所定時間だけ遡った時点の照度センサ５による周囲照度の検知結果と、点灯検知後の周囲照度の検知結果とを比較し、点灯前後における周囲照度の差が所定のレベル（基準値に対応したレベル）を超えていれば照度センサ５の出力を無視して熱線センサ１の検知結果のみに基づいてトライアックＱのオン・オフを行い、点灯前後における周囲照度の差が所定レベル以下であれば照度センサ５の出力を無視せずに熱線センサ１の検知結果に基づいてトライアックＱのオン・オフを行うようにしているから、例えば、上述のように階段や廊下を人が移動する際に、照明負荷Ｌの消灯状態でも移動先（階上）の周囲照度が十分に明るければ人Ｈが階段や廊下を移動し終わる前に照明負荷Ｌを消灯しても支障はなく、無駄な照明を省いて電力消費が抑制できるものである。
【００４４】
【発明の効果】
請求項１の発明は、熱線を検知する熱線センサと、電源から照明負荷への給電路に挿入されるスイッチ要素と、スイッチ要素と直列に前記給電路に挿入される電流トランスと、周囲照度を検出する照度センサと、該照度センサで検出する周囲照度が所定値以下のときに前記熱線センサの出力に基づいて人体の存否に対応するように前記スイッチ要素をオン・オフさせる制御手段と、前記電流トランスのスイッチ要素に接続されていない方の一端及び前記スイッチ要素の両端に各々設けられた外部接続端子とを備え、前記制御手段は、前記スイッチ要素のオフ状態では負荷の漏れ電流から、前記スイッチ要素のオン状態では前記電流トランスの２次側出力からそれぞれ動作電源を得るとともに該２次側出力に基づいて前記スイッチ要素をオン・オフさせ、一端オンさせたスイッチ要素を所定の動作保持時間経過後にオフさせてなる熱線式自動スイッチにおいて、前記電流トランスに流れる電流の大きさに基づいて照明負荷の点灯を検知する点灯検知手段を備え、前記制御手段は、前記点灯検知手段にて照明負荷の点灯が検知されているときには照度センサで検出する周囲照度に関係なく熱線センサの出力に基づいて人体の存否に対応するように前記スイッチ要素をオン・オフさせてなることを特徴とし、３路スイッチとして用いた場合、制御手段は点灯検知手段により照明負荷の点灯が検知されているときには照度センサによる周囲照度の検知結果にかかわらず熱線センサの検知結果のみに基づいてスイッチ要素のオン・オフを行うから、例えば、階段や廊下を人が一方向に移動する際に、従来例のように人が階段や廊下を移動し終わる前に一旦点灯した照明負荷が消灯することがなく、人が移動し終わるまでの間は照明負荷の点灯を維持させることができ、その結果、３路スイッチとして用いる場合の使い勝手が向上する。
【００４５】
請求項２の発明は、請求項１の発明において、前記照度センサの検出値を所定周期で記憶する記憶手段を備え、前記制御手段は、前記点灯検知手段にて照明負荷の点灯が検知された時点よりも所定時間以上遡った時点で前記記憶部に記憶された検出値が予め設定されている基準値を超えている場合には照度センサで検出する周囲照度が所定値以下のときに前記熱線センサの出力に基づいて人体の存否に対応するように前記スイッチ要素をオン・オフさせてなることを特徴とし、照明負荷の点灯前における周囲照度が基準値を超えるほど明るい場合には制御手段が照明負荷の点灯後における照度センサの検出結果を考慮してスイッチ要素のオン・オフを行うことにより、照明負荷を不必要に点灯させるのを防いで省エネが図れる。例えば、階段や廊下を人が移動する際に、照明負荷の消灯状態でも移動先の周囲照度が十分に明るければ人が階段や廊下を移動し終わる前に照明負荷を消灯しても支障はなく、無駄な照明を省くことができる。
【００４６】
請求項３の発明は、請求項１の発明において、前記照度センサの検出値を所定周期で記憶する記憶手段を備え、前記制御手段は、前記点灯検知手段にて照明負荷の点灯が検知された時点よりも所定時間以上遡った時点で前記記憶部に記憶された第１の検出値と、前記点灯検知後に記憶手段に記憶される第２の検出値とを比較し、第１の検出値と第２の検出値との差が所定の基準値以下の場合には照度センサで検出する周囲照度が所定値以下のときに前記熱線センサの出力に基づいて人体の存否に対応するように前記スイッチ要素をオン・オフさせてなることを特徴とし、照明負荷の点灯前後において周囲照度がほとんど変化しなければ制御手段が照明負荷の点灯後における照度センサの検出結果を考慮してスイッチ要素のオン・オフを行うことにより、照明負荷を不必要に点灯させるのを防いで省エネが図れる。例えば、階段や廊下を人が移動する際に、照明負荷の消灯状態でも移動先の周囲照度が十分に明るければ人が階段や廊下を移動し終わる前に照明負荷を消灯しても支障はなく、無駄な照明を省くことができる。
【００４７】
請求項４の発明は、請求項２又は３の発明において、前記制御手段は、前記点灯検知手段で照明負荷の点灯が検知されているときと検知されていないときとで前記周囲照度の所定値を異なる値としてなることを特徴とし、周囲照度の所定値を状況に応じた適切な値に設定することができて使い勝手がさらに向上する。
【図面の簡単な説明】
【図１】実施形態１の回路ブロック図である。
【図２】同上を用いて多箇所検知する場合の接続状態図である。
【図３】同上の動作説明図である。
【図４】同上の動作説明用のタイムチャートである。
【図５】実施形態２の回路ブロック図である。
【図６】同上の動作説明図である。
【図７】同上の動作説明用のタイムチャートである。
【図８】実施形態３の動作説明用のタイムチャートである。
【図９】従来例の回路ブロック図である。
【図１０】同上を用いて多箇所検知する場合の接続状態図である。
【符号の説明】
１  熱線センサ
２  信号処理部
５  照度センサ
７  点灯検知部
ＣＴ  電流トランス
Ｑ  トライアック
ＡＣ  商用電源
Ｌ  照明負荷
【図１】
2004172994.tif 000003
【図２】
2004172994.tif 000004
【図３】
2004172994.tif 000005
【図４】
2004172994.tif 000006
【図５】
2004172994.tif 000007
【図６】
2004172994.tif 000008
【図７】
2004172994.tif 000009
【図８】
2004172994.tif 000010
【図９】
2004172994.tif 000011
【図１０】
2004172994.tif 000012